(57)【特許請求の範囲】
【請求項１】
複数の側板を備えたエレベータかご室において、
左右方向の端部に固着されるとともに雄ネジが切られた棒状の雄ネジロッドを有する第１の側板と、
左右方向の端部が折り曲げられているとともに折り曲げられた端部側の平面に前記雄ネジロッドが貫通する貫通穴を有する第２の側板と、
前記第２の側板の前記貫通穴を貫通した前記雄ネジロッドにねじ込まれて前記第１の側板と前記第２の側板とを締結するナットと
を備え、
前記ナットは、
ベースと、
第１軸であって自己の軸線回りに回転可能に前記ベースに取り付けられた第１軸と、
第２軸であって自己の軸線回りに回転可能、かつ、前記第１軸と略直交する方向に前記ベースに取り付けられた第２軸と、
前記第１軸の回転を前記第２軸に伝動する伝動機構と、
前記ナットを着脱可能に受けるとともに前記第２軸の一方の先端に取り付けられ、前記伝動機構により伝動された前記第１軸の回転に基づき回転する前記第２軸の回転により前記ナットを前記雄ネジロッドにねじ込むナット受け部と、
前記ベースに固着されるとともに、前記第１軸が貫通するパイプ形状であり、パイプ形状の長手方向の途中に取っ手を取り付ける取っ手取付部を有するパイプ部と
を備えたナットねじ込み工具によりねじ込まれることを特徴とするエレベータかご室。
【請求項２】
前記第１の側板は、
かご室の扉に対向する位置に配置された側板であり、
前記第２の側板は、
昇降路の上部からみて前記第１の側板に略直交して締結される側面壁となる側板であることを特徴とする請求項１記載のエレベータかご室。
【請求項３】
前記第１の側板と前記第２の側板とは、
昇降路の上部からみてかご室の扉に対して略直交する側面壁となる側板であることを特徴とする請求項１記載のエレベータかご室。
【請求項４】
前記ナットねじ込み工具によりねじ込まれる前記ナットは、
前記雄ネジロッドにねじ込まれた場合における前記雄ネジロッドの軸方向に対して直交する方向の寸法であるナット幅のうち最大のナット幅よりも外径の大きい円周を有する鍔部を有することを特徴とする請求項１記載のエレベータかご室。
【請求項５】
複数の側板を備えたエレベータかご室であり、
左右方向の端部に固着されるとともに雄ネジが切られた棒状の雄ネジロッドを有する第１の側板と、
左右方向の端部が折り曲げられているとともに折り曲げられた端部側の平面に前記雄ネジロッドが貫通する貫通穴を有する第２の側板と、
前記第２の側板の前記貫通穴を貫通した前記雄ネジロッドにねじ込まれて前記第１の側板と前記第２の側板とを締結するナットと
を備えたエレベータかご室の前記ナットを前記雄ネジロッドにねじ込むナットねじ込み工具であって、
ベースと、
第１軸であって自己の軸線回りに回転可能に前記ベースに取り付けられた第１軸と、
第２軸であって自己の軸線回りに回転可能、かつ、前記第１軸と略直交する方向に前記ベースに取り付けられた第２軸と、
前記第１軸の回転を前記第２軸に伝動する伝動機構と、
前記ナットを着脱可能に受けるとともに前記第２軸の一方の先端に取り付けられ、前記伝動機構により伝動された前記第１軸の回転に基づき回転する前記第２軸の回転により前記ナットを前記雄ネジロッドにねじ込むナット受け部と、
前記ベースに固着されるとともに、前記第１軸が貫通するパイプ形状であり、パイプ形状の長手方向の途中に取っ手を取り付ける取っ手取付部を有するパイプ部と
を備えたナットねじ込み工具。
【請求項６】
前記ナットねじ込み工具によりねじ込まれる前記ナットは、
前記雄ネジロッドにねじ込まれた場合における前記雄ネジロッドの軸方向に対して直交する方向の寸法であるナット幅のうち最大のナット幅よりも外径の大きい円周を有する鍔部を有することを特徴とする請求項５記載のナットねじ込み工具。
【請求項７】
前記ナットは、
前記鍔部として皿バネを有する皿ばね付きナットと、
前記鍔部としてフランジを有するフランジ付きナットと、
前記鍔部としてワッシャを有するワッシャ付きナットとの
いずれかであることを特徴とする請求項６記載のナットねじ込み工具。
【発明の詳細な説明】
【技術分野】
【０００１】
この発明は、エレベータかご室の壁パネルの締結構造に関する。
【背景技術】
【０００２】
エレベータの昇降路が狭く尚且つ巻上機や制御盤等の昇降路機器が配置されている場合、かご室に壁パネルを据え付ける際に、壁パネルの裏面（昇降路側）に据え付け作業者が入り込むことが出来なくなる（作業スペースが無い）。かご室の壁パネル同士の締結は、図１１に示すように、ボルト１７とナット１８により、かご室の室外（昇降路側）で締結が必要な締結構造となっている（例えば特許文献１、特許文献２）。従来技術では、壁パネルの据え付け作業者は、壁パネルの裏側（昇降路側）に入り込み締結作業をする必要性があり、昇降路スペースが狭い場合は壁パネルの締結が困難な状況になる。
【特許文献１】実開昭６１−４９７７３号公報
【特許文献２】実開昭５５−７４７８２号公報
【発明の開示】
【発明が解決しようとする課題】
【０００３】
この発明は、かご室の壁パネルを据え付ける際に、昇降路側に作業スペースが無い場合でも、かご室の壁パネルの締結作業が可能となる壁パネル構造及び締結工具を提供することを目的とする。
【課題を解決するための手段】
【０００４】
この発明のエレベータかご室は、
複数の側板を備えたエレベータかご室において、
上下方向の端部に固着されるとともに雄ネジが切られた棒状の雄ネジロッドを有する第１の側板と、
上下方向の端部が折り曲げられているとともに折り曲げられた端部側の平面に前記雄ネジロッドが貫通する貫通穴を有する第２の側板と、
前記第２の側板の前記貫通穴を貫通した前記雄ネジロッドにねじ込まれて前記第１の側板と前記第２の側板とを締結するナットと
を備えたことを特徴とする。
【発明の効果】
【０００５】
この発明により、かご室に壁パネルを据え付ける際に、昇降路側に作業スペースが無い場合でも、かご室の壁パネルの締結作業が可能となるエレベータかご室を提供できる。
【発明を実施するための最良の形態】
【０００６】
実施の形態１．
図１〜図８を使用して実施の形態１を説明する。実施の形態１では、かご室の壁パネル（側板）の締結構造と、壁パネル（側板）同士を締結する壁パネル締結工具とを説明する。
（１）以下に説明するかご室の特徴は、一方の壁パネル（側板）に予めボルト等の雄ネジ部（雄ネジロッド）を固着して設け（共回りがしない構造）、締結される側の他方のパネル（側板）には前記雄ネジ部が貫通する貫通穴を設け、一方のパネルと前記他方のパネルとを、ナット側の締付のみで締結可能な構造とした点である。
（２）また以下に説明する壁パネル締結工具の特徴は、かご室の天井上から、あるいは、かご室の床下側（ピット）から、壁パネル同士の締結作業が可能な長さを有するとともに、工具自体の回転を防止する回転防止部材を備えたことにある。以上の（１）、（２）により、かご室に壁パネルを据え付ける際に、かご室と昇降路（昇降路機器）との間に作業スペースが無くても、かご室の天井上から、あるいは、かご床下側（ピット）から、壁パネルの締結作業が可能となる。
以下では、まずエレベータかご室の締結構造を説明し、次に壁パネル締結工具を説明する。
【０００７】
（壁パネル）
図１は、実施の形態１における壁パネルの締結作業の様子を示す概略図である。壁パネルは、すでに昇降路に設置されたかご枠に対して据え付ける。図１は、壁パネル（側板）同士を仮り組みした状態において、作業者がかご室の天井に上がり、パネル同士を壁パネル締結工具１３を用いて締結している様子を示している。なお、壁パネルとは、かご室の側板のことであり、壁パネルあるいは正面壁、側面壁と呼ぶ場合がある。この場合、直方体形状のかご室であれば、「正面壁」とは、エレベータの扉１６に向かい合う側板をいい、「側面壁」とは、エレベータの扉１６と略直交して配置される側板をいう。
【０００８】
（昇降路）
図２は、エレベータの昇降路の断面を示す図である。図２は、壁パネルを設置する際のかご位置における昇降路の断面である。すなわち、図２は、壁パネルの据付作業を行うかご枠の位置（高さ方向位置）の周辺を示している。図２において、昇降路１は、昇降路壁２に囲まれている。また、かご室６の周りには、巻上機、制御盤、カウンターウェイト等の昇降路機器３〜５が配置されている。図２では、エレベータの昇降路１が狭く、また周辺に巻上機や制御盤等の昇降路機器３〜５が配置されているため、かご室６の壁パネル（側板）を据え付ける際に、かご室６の壁パネルの裏面（昇降路側）に据え付け作業者が入り込むことが出来ない（作業スペースが無い）。
【０００９】
（かご室）
かご室６は、かご室６の側面側を覆う側面壁７−１（側板）〜７−３と、かご室６の正面側を覆う正面壁８−１、８−２等を備える。図２に示すように、正面壁８−１，８−２は、かご室６の扉１６に対向して設置されている。側面壁７−１は正面壁８−１に対し、昇降路１の上部からみて、略直交して締結される。実施の形態１では、正面壁８−１に対して側面壁７−１を締結する場合を説明する。すなわち、図２において、Ａ部における締結方式を説明する。正面壁８−１（第１の側板）が雄ネジ部を備えており、側面壁７−１（第２の側板）が皿バネ付きナット１２によって正面壁８−１に締結される場合を想定する。
【００１０】
図３は、正面壁８−１と側面壁７−１とを締結する概要を示す図である。正面壁８−１には、ボルト１０が固定された「Ｌ字型の固定金具９」（以下、固定金具９という）が、上下方向（昇降路方向）の端部に接着等により固定されている。図３に示すように、正面壁８−１には固定金具９が既に取り付けられた状態で、側面壁７−１が正面壁８−１に締結される。正面壁８−１の上下方向の端部からは、ボルト１０の雄ネジ部１０ａ（雄ネジロッド）が意匠面から略垂直に突き出ている。ボルト１０は、正面壁８−１と側面壁７−１との締結用として、溶接等により固定金具９に固定されている。正面壁８−１には、複数（例えば５箇所程度）の固定金具９が取り付けられている。
【００１１】
一方、側面壁７−１には、雄ネジ部１０ａに対応する貫通穴７ｈが開けられており、雄ネジ部１０ａをこの貫通穴７ｈを通して、後述の壁パネル締結工具１３を用いることにより皿バネ付きナット１２を雄ネジ部１０ａにねじ込むことにより、正面壁８−１と側面壁７−１とが締結される。すなわち、側面壁７−１は、上下方向の端部が折り曲げられているとともに折り曲げられた端部側の平面に雄ネジ部１０ａが貫通する貫通穴７ｈを有する。そして、皿バネ付きナット１２が、側面壁７−１の貫通穴７ｈを貫通した雄ネジ部１０ａに対して、かごの天井にいる作業者の操作する後述の壁パネル締結工具１３によってねじ込まれることで、正面壁８−１と側面壁７−１とが締結される。
【００１２】
図４（ａ）は、図３の矢視Ｂを示す図である。図４（ｂ）は、雄ネジ部１０ａの拡大図である。図４（ａ）に示すように、正面壁８−１には、端部の上下方向に、複数（例えば５箇所程度）の固定金具９（ボルト１０が固着）が取り付けられている。なお、後述する図８（ａ）は、図４（ｂ）のＢ−Ｂ断面である。
【００１３】
（パネル据え付けの前提）
図３に示すように、パネルの据え付け作業においては、側面壁７−１〜側面壁７−３は互いに、既に締結されている。この状態で、正面壁８−１と側面壁７−１とが締結されることを想定している。これは、側面壁７−１〜側面壁７−３は、例えば、エレベータ乗場で締結することが可能であり、また、正面壁８−１、８−２等の据え付けは、かご床上で行なうことができるからである。結局、壁パネルの据え付け工程上、ネックとなるのが正面壁８−１と側面壁７−１との締結である。このため、正面壁８−１と側面壁７−１との締結を想定する。正面壁８−１と側面壁７−１との締結において、ボルト１０と皿バネ付きナット１２とはかご室６の室外側（昇降路側）にあるので、かご床上での締結はできない。また、昇降路側で作業しようとしても前述のように昇降路機器の存在により作業者の作業するスペースがない。また、昇降路機器の存在しない高さに「かご枠」を上昇させることも考えられるが、かご枠を上昇させると、昇降路機器の問題は解消しても、作業者の足場がない。結局、作業者は、図１に示した例のようにかごの天井、あるいはピット側から据え付け作業をせざるを得ない。
【００１４】
なお、図５に示すように、側面壁７−１〜側面壁７−３の締結方式は、正面壁８−１と側面壁７−１との締結方式と同じ方式をとっても構わない。また、正面壁８−１と正面壁８−２との締結方式も、正面壁８−１と側面壁７−１との締結方式と同じ方式をとっても構わない。
【００１５】
（壁パネル締結工具１３の構成）
図６は、壁パネル締結工具１３の構成を示す図である。図６（ａ）は、正面図、（ｂ）は左側面図、（ｃ）は底面図である。図６を参照して、壁パネル締結工具１３を説明する。壁パネル締結工具１３は、ブロック１３ｅ（ベース）と、自己の軸線回りに回転可能にブロック１３ｅに取り付けられた軸１３ｃ（第１軸）と、自己の軸線回りに回転可能、かつ、軸１３ｃと略直交する方向にブロック１３ｅに取り付けられた軸１３ｇ（第２軸）と、軸１３ｃの回転を軸１３ｇに伝動する伝動機構を形成する歯車１３ｆ及び歯車１３ｈと、皿バネ付きナット１２を着脱可能に半固定的に保持するとともに軸１３ｇの一方の先端に取り付けられ、歯車１３ｆ及び歯車１３ｈとで形成される伝動機構により伝動された軸１３ｃの回転に基づき回転する軸１３ｇの回転により皿バネ付きナット１２を正面壁８−１に取り付けられた雄ネジ部１０ａにねじ込むソケット１３ｉ（ナット受け部）と、ブロック１３ｅに固着されるとともに、軸１３ｃが貫通するパイプ形状であり、パイプ形状の長手方向の途中に取っ手を取り付ける回転防止部材１３ｊ（取っ手取付部）を有するパイプカバー１３ｄ（パイプ部）とを備える。
【００１６】
（１）図６に示すように、取っ手１３ａは、中心部上側に六角棒１３ｂが溶接等により固定されている。軸１３ｃは、取っ手１３ａに溶接等により固定され、ブロック１３ｅにあけられた穴を貫通し、貫通した先端には、歯車１３ｆ（マイタ歯車）が固定されている。軸１３ｃは、パイプ形状の軸である。中実材でも構わないが、重量の点で中空材（パイプ形状）が好ましい。パイプカバー１３ｄは、一端がブロック１３ｅに溶接等により固定されており、軸１３ｃと微小な隙間を保ち軸１３ｃを支える。ブロック１３ｅは、直角に交差する軸用穴を有しており、一方の軸用穴には軸１３ｃが挿入され、他方の軸用穴には、軸１３ｇが挿入されている。軸１３ｇは、ブロック１３ｅの軸用穴に挿入されることにより軸１３ｃと直角に配置される。歯車１３ｆの側には軸１３ｃの回転方向を９０度方向を変えることが出来るように配置された歯車１３ｈ（マイタ歯車）が歯車１３ｆとかみ合うように固定されている。また、歯車１３ｈが取り付けられている端部と反対側の先端には、皿バネ付きナット１２を挿入・固定することが可能なソケット１３ｉを有する。
（２）ソケット１３ｉは、磁力あるいはバネ力などにとって、皿バネ付きナット１２を半固定的に保持する。「半固定的に保持する」とは、ソケット１３ｉが皿バネ付きナット１２を保持した場合には、ソケット１３ｉから重力により皿バネ付きナット１２が落下するのを防止しつつ、皿バネ付きナット１２が雄ネジ部１０ａにねじ込まれた場合には、ソケット１３ｉから皿バネ付きナット１２を取り出し可能な状態で保持することを意味する。
（３）また、正面壁８−１と側面壁７−１との締結時に、六角棒１３ｂをラチェット・レンチ等で回転させる場合に、本体の回転防止として回転防止部材１３ｊ（取っ手取付部）には、スパナ等の取っ手を差し込むことにより、壁パネル締結工具１３自体がラチェット・レンチから加えられるトルク方向に回転してしまうことを防止する。
【００１７】
図７は、壁パネル締結工具１３によって皿バネ付きナット１２を雄ネジ部１０ａにねじ込む場合を説明する図である。図７（ａ）は、ソケット１３ｉが皿バネ付きナット１２を受ける様子を示している。図７（ｂ）は、ソケット１３ｉによって半固定的に保持される皿バネ付きナット１２を雄ネジ部１０ａにねじ込む場合を説明する図である。皿バネ付きナット１２を雄ネジ部１０ａにねじ込む場合、皿バネ付きナット１２は、六角ナット部の最大幅ｂ２よりも皿バネ部の外径Ｂ１のほうが大きい。このため、皿バネ付きナット１２は、皿バネのない通常のナットに比べて、雄ネジ部１０ａの先端を探りやすい。このため、図１に示したように、天井に上がって締結作業する作業者にとっての負担が軽減する。実施の形態１ではナットとして皿バネ付きナット１２を示したが、六角ナット部の最大幅ｂ２よりも外径Ｂ１のほうが大きいフランジ、ワッシャなどを有するフランジ付きナット、ワッシャ付きナットなどを用いても構わない。
【００１８】
図８は、図４の締結部の詳細を示す図である。図８（ａ）〜（ｃ）は、図４（ｂ）の断面Ｂ−Ｂ位置を示している。図８（ｂ）は、図８（ａ）に対して、側面壁７−１の貫通穴７ｈを雄ネジ部１０ａに差し込んだ状態を示す。図８（ｃ）は、図８（ａ）に対して、貫通穴７ｈから出ている雄ネジ部１０ａに皿バネ付きナット１２をねじ込み締結した状態を示している。
【００１９】
（パネル組立手順）
図８（ａ）〜図８（ｃ）を参照して、正面壁８−１と側面壁７−１との締結手順を説明する。
（１）図８（ａ）に示すように、側面壁７−１は、ボルト１０の雄ネジ部１０ａを挿入する貫通穴７ｈを有する。この貫通穴７ｈは、図４に示すように、固定金具９が５つ配置されていれば、当然、同数存在する。ここでは、貫通穴７ｈは５つある。図８（ｂ）に示すように、側面壁７−１の５つの貫通穴７ｈに正面壁８−１の５つの雄ネジ部１０ａを通し、正面壁８−１の意匠面８ａと側面壁７−１の端部面７ａとを当接するように配置する。
（２）次に、作業者は、図７（ａ）に示したように、壁パネル締結工具１３のソケット１３ｉの先端に皿バネ付きナット１２を挿入する。
（３）そして、作業者は、図１、あるいは図７（ｂ）に示すように、壁パネル締結工具１３のソケット１３ｉ（皿バネ付きナット１２）を、まず１本目の雄ネジ部１０ａの端部前方にもって行き、取っ手１３ａの六角棒１３ｂをラチェット・レンチ等の工具で回転させ、皿バネ付きナット１２を１本目の雄ネジ部１０ａにねじ込む。この作業者は、この動作を５つの雄ネジ部１０ａに行なう。これにより正面壁８−１と側面壁７−１とが、皿バネ付きナット１２によって締結される。
【００２０】
以上の様に構成することで、かご室壁パネルを据え付ける際に、かご室の昇降路（昇降路機器）との間にスペースが無くても、かご室天井上からやかご床下側（ピット）から壁パネル締結作業が可能となる。
【００２１】
実施の形態２．
図９を参照して実施の形態２を説明する。図９は、実施の形態１の図８に対する。実施の形態１では、雄ネジ部として、ボルト１０が溶接された固定金具９を正面壁８−１に接着材などを用いて固着していた。すなわち、雄ネジ部は、ボルト１０を固定金具に溶接することで実現していた。これに対して実施の形態２では、固定金具に溶接等により固着された袋ナットに対して、棒ネジ１１をねじ込むことにより雄ネジロッド部を実現する実施形態である。すなわち、
「ボルト１０＝袋ナット１５＋棒ネジ１１」
と置換されたものである。したがって、ボルト１０以外の固定金具の形状やその他の部品は実施の形態１と同じである。
【００２２】
図９は、棒ネジ１１を用いる場合の壁パネルの締結方法を示す図である。図９を参照して実施の形態２における壁パネルの締結方法を説明する。
【００２３】
固定金具１４は、締結用の袋ナット１５が溶接等により固定されているＬ字型の固定金具である。実施の形態１の固定金具９と同じく、固定金具１４は接着材等により、正面壁８に固定される。図４の場合と同じく、固定金具１４は、正面壁８−１に複数（５箇所程度）取り付けられている。
【００２４】
棒ネジ１１は、固定金具１４に固定されている袋ナット１５に挿入するものであり、ほぼ全長にネジ溝が施工されている。
【００２５】
図９を参照して壁パネルの組立順序（ａ）〜（ｆ）を説明する。
（１）図９（ａ）〜（ｃ）に示すように、
まず袋ナット１５を有する固定金具１４が取り付けられている正面壁８−１の袋ナット１５に、棒ネジ１１を挿入して締め付ける。棒ネジ１１は挿入部先端が袋ナット１５の袋部に接する為、後にナット側を締め付けても共回りはしない。なお、棒ネジの取り付けは、壁パネルの据え付けにおいてネックとなる工程ではなく、エレベータ乗場などで取り付けてもよい。
（２）次に、図９（ｄ）、（ｅ）に示すように、側面壁７−１（実施の形態１と同じく、側面壁７には棒ネジ１１の挿入するネジ用穴が施工されている）を正面壁８−１の棒ネジ１１に沿って（図４の場合と同様に棒ネジ１１は上下方向に５本並んでいる）正面壁８−１の意匠面８ａと側面壁７−１の端部面７ａ（平面部）を当てるように配置する。
（３）次に、壁パネル締結工具１３の先端ソケット１３ｉに皿バネ付きナット１２を挿入する。
（４）次に、壁パネル締結工具１３の先端ソケット１３ｉを棒ネジ１１の端部前方にもっていき、壁パネル締結工具１３の取っ手１３ａの六角棒１３ｂをラチェット・レンチ等の工具で回転させ、皿バネ付きナット１２を締め付ける（図９（ｆ））。
【００２６】
以上の様に構成することで、かご室壁パネルを据え付ける際に、かご室と昇降路（昇降路機器）との間に作業スペースが無くても、かご室天井上からやかご床下側（ピット）から壁パネル締結作業が可能となる。
【００２７】
なお、実施の形態１では固定金具にボルト１０を溶接等により固定し、実施の形態２では、固定金具に袋ナット１５を溶接等により固定して棒ネジ１１をねじ込む構成とした。これらは一例であり、例えば、図１０に示すように、正面壁８−１における雄ネジ部が突出する位置にボルトを溶接等により固着しても構わない。但し、正面壁８−１にボルト１０を直接溶接等で固着する方式は、固定金具にボルト１０を溶接する場合に比べ作業性が劣ること、また、壁パネルの据え付け時に、突き出たボルト１０の雄ネジ部で作業者が怪我をすることも考えられることから、固定金具を用いる方が好ましい。
【図面の簡単な説明】
【００２８】
【図１】実施の形態１における壁パネル締結作業示す図。
【図２】実施の形態１における昇降路の断面図。
【図３】実施の形態１における壁パネル締結構造を示す図。
【図４】実施の形態１における正面壁の意匠面の図。
【図５】実施の形態１における壁パネル締結構造を示す図。
【図６】実施の形態１における壁パネル締結工具１３の構成図。
【図７】実施の形態１におけるナットとボルトとの締結を説明する図。
【図８】実施の形態１における壁パネルの締結手順を示す図。
【図９】実施の形態２における壁パネルの締結手順を示す図。
【図１０】実施の形態２における正面壁へのボルト溶接を示す図。。
【図１１】従来技術を示す図。
【符号の説明】
【００２９】
１  昇降路、２  昇降路壁、３，４，５  昇降路機器、６  かご室、７  側面壁、７ａ  端部面、７ｈ  貫通穴、８−１，８−２  正面壁、７−１，７−２，７−３  側面壁、９  固定金具、１０  ボルト、１０ａ  雄ネジ部、１１  棒ネジ、１２  皿バネ付きナット、１３  壁パネル締結工具、１４  固定金具、１３ａ  取っ手、１３ｂ  六角棒、１３ｃ  軸、１３ｄ  パイプカバー、１３ｅ  ブロック、１３ｆ  歯車、１３ｇ  軸、１３ｈ  歯車、１３ｉ  ソケット、１３ｊ  回転防止部材、１５  袋ナット、１６  扉。
【図１】
0005235380.tif 000002
【図２】
0005235380.tif 000003
【図３】
0005235380.tif 000004
【図４】
0005235380.tif 000005
【図５】
0005235380.tif 000006
【図６】
0005235380.tif 000007
【図７】
0005235380.tif 000008
【図８】
0005235380.tif 000009
【図９】
0005235380.tif 000010
【図１０】
0005235380.tif 000011
【図１１】
0005235380.tif 000012